Podtech/llm-jp-corpus-v4-ja_patent huggingface dataset:
(57)【特許請求の範囲】
【請求項１】
角質層まで届くように表皮を抑えるための外周の刃である半円状の外刃と、前記外刃の内側に設けられた内刃であって前記外刃の内側に設けられた内刃であって、前記内刃で角質を囲い込んだかたちで前記内刃が浮き上がった前記角質を絞り出せるように鋭利なとがりが設けられた内刃と、を備えた刃であって、前記刃を手前に引っ張ることで前記外刃の作用と前記内刃の作用で確実に余分な角質や角栓を簡単に押し出したり、絞り出す構造を持った刃であり、かつ
前記内刃が前記外刃より若干低く設定され、角質を一気に取り去るように２重あるいはそれ以上の内刃を設けた角質取りの刃であって、前記外刃のテーパーと前記内刃のテーパーが互いに逆である刃。
【請求項２】
角質をとるために、前記外刃と前記内刃とが同心円状に設けられた請求項１に記載の刃。
【請求項３】
作用点として、請求項１及び２に記載の刃を有しており、力点として、手で保持する筒を有ししてる角質取り。
【発明の詳細な説明】
【技術分野】
【０００１】角質取り，角栓取り
【背景技術】
【０００２】角質取りは今までの物はかたい部位が皮膚の上にできている前提で、これを上から掻き落とす構造の物か刃でそぎ取るか、かすかに押し絞るものしか存在しない。使用後皮膚はザラザラ感が残り、通常はクリームを塗って処理していく以外に方法はない。
しかも取れにくいので繰りかえすとこすりすぎによって、かえって悪くすることが多々ある。
【発明の概要】
【０００３】単純な円筒の刃で抑えて角質を取る場合、面積が大きく、外形の刃で抑えただけでは相当量の角質を取るのに時間がかかり過ぎる。そこで外刃で抑えて、囲った角質を逃がさず内刃で一気に取り去るように２重あるいはそれ以上の内刃を設けるようにした。
【発明が解決しようとする課題】
【０００４】刃の構造について外刃を鋭利な構造を設け、内側に外刃よりわずかに低い内刃を設け、外刃で抑えた角質を内刃と両方で搾り取れようにし、仕事量が２倍以上に増大し、しかも硬い部位を確実にとらえ、とり難い硬い角質を簡単に除去できるようにした。【０００５】同心円状にカットした外刃と内刃で取れるように外刃は外にテーパ上にカットを施し、内刃は逆に内側にテーパ上のカットを施し外刃でとらえた部位が盛り上がったところ内刃で絞り出す構造を持たせることにより数段の仕事量を発揮できる構造とした。
【課題を解決するための手段】
【０００６】外刃で角質を削るだけでなく、搾り取るには内刃が外刃と同じ高さまたは内刃が外刃より高いと内刃だけが機能し、かえって狭い領域の刃になってしまう。【０００７】そこで構造を外刃と内刃で構成させるには内刃が外刃より若干低い位置関係にないと押し絞る構造にならないことが実験で判明した。
【発明の効果】
【０００８】外刃で対象とらえると内側少し抑えられて、浮き上がる傾向があり、内部の刃のテーパー逆にすることによって内刃が盛り上がった角質を押し絞り出す作用が出て、角質の除去率が数倍になる判明し、外刃に頼った今までの角質取りとは比較にならい程の効果を発揮した。
【図面の簡単な説明】
【０００９】
【図１】請求項１の半円状の外刃に内刃を付加し反対側に半円状の外刃を持った角質取りの刃  Ａ  角質取りの刃の外刃  Ｂ  内刃  Ｃ  穴  Ｄ  穴  Ｅ  側面図
【００１０】
【図２】請求項２の同心円の外刃と内刃を持った形状を持つ角質取りの刃の実施例  Ｆ  外刃  Ｇ  内刃  Ｈ  穴
【００１１】
【図３】請求項３の回転構造を持つ柄の先端部に請求項１あるいは請求項２の刃を付加した構造図  Ｋ  請求項１及び請求項２の刃  Ｌ  成形品でできた柄  Ｍ  手で保持して使用する円筒の筒  Ｎ  ストッパーで支点として機能する部分
【発明を実施するための形態】
図１及び図３の構造を持つ形態を持った角質取り
【実施例】
【００１２】図３は請求項１の刃を回転構造体に付加使用した実施例で、この刃に代わって請求項２の刃を使用すれば請求項２の実施例となる。。
【産業上の利用可能性】
【００１３】  すでに試作終了し、組み立てしやすく、仕事量も数倍まし、今までの角質取りとは比較できない効果を発揮した。【００１４】  発明の構造を持つ刃を回転構造体付加すると、無駄な力が皮膚にかかりにくくなり、一段の皮下に残った不要な角質、魚の目、タコなどの硬い物や老廃物をより掻き出せるようになった。
【図１】
0006800438.tif 000002
【図２】
0006800438.tif 000003
【図３】
0006800438.tif 000004
(57)【特許請求の範囲】
【請求項１】
揺動可能なりん本体部と、当該りん本体部から立設した複数の作用体とを備え、
前記りん本体部は、下部が開口した逆さお椀形状で、前記逆さお椀形状の内側底部を支持部材により揺動可能に支持してあり、
前記複数の作用体はそれぞれ、前記りん本体部から立設した可撓性を有する線状部材と、当該線状部材の上部側に連結した作用部とを有していることを特徴とするゆらぎりん。
【請求項２】
前記それぞれの線状部材は途中に補助りん部が連結されており、前記作用体の揺れにより前記複数の補助りん部が相互にぶつかり合うように配置されていることを特徴とする請求項１記載のゆらぎりん。
【請求項３】
前記りん本体部の外側に打りん部材を設けたことを特徴とする請求項１又は２記載のゆらぎりん。
【発明の詳細な説明】
【技術分野】
【０００１】
本発明は、りん（鈴）に関する。
【背景技術】
【０００２】
りんは音を鳴らすベルとして、あるいは葬祭用具の仏りんとして、さらには風に当たり音が出る風鈴として、いろいろなタイプのものが提案されている。
本出願人は先に、りん部の振動が阻害されることなく周囲に万遍なく音が広がるように、下方が開口した椀形のりん部を揺動可能に支持した仏りんを提案している（特許文献１）。
さらに揺れを楽しむことができるりんと検討した結果、本発明に至った。
【先行技術文献】
【特許文献】
【０００３】
【特許文献１】特開２０１２−３０１３２号公報
【発明の概要】
【発明が解決しようとする課題】
【０００４】
本発明は揺れが大きく、風情にも優れたゆらぎりんの提供を目的とする。
【課題を解決するための手段】
【０００５】
本発明に係るゆらぎりんは、揺動可能なりん本体部と、当該りん本体部から立設した作用体とを備えたことを特徴とする。
ここで作用体とは手で触れてりん本体部を揺らしたり、風が当たり、りん本体部が揺れるようにした部材をいう。
【０００６】
本発明において、りん本体部は揺動可能になっている限りにおいて、その形状に制限がない。
例えば上部が開口し、底部がゆるやかな凸面になった略お椀形状、下部が開口した逆さお椀形状の内側底部を支持部材により揺動可能に支持させてもよい。
この場合に、逆さお椀の底部をやじろべいのように支持させたり、支持部材が揺れるように弾性体になっていてもよい。
【０００７】
本発明において、前記作用体は、前記りん本体部から立設した可撓性を有する線状部材と、当該線状部材の上部側に連結した作用部とを有するようにしてもよい。
これにより作用体を手で軽く触れたり、風があたるとりん本体部がより揺れやすくなる。
また、作用体そのものが線状部材の撓みにより揺れるので、前記線状部材又は作用部に補助りん部を有するようにしてもよい。
このようにすると、補助りん部が揺れても音が鳴る。
また、前記りん本体部の外側に打りん部材を設けてもよい。
【発明の効果】
【０００８】
本発明に係るゆらぎりんは、りん本体部から作用体を立設したので、作用体を手で軽く触れたり風があたることでりん本体部がゆらぎ、その動きを楽しむことができ、りん本体部を打りんして音を鳴らすこともできる。
また、線状部材又は作用部に補助りん部を設ける場合に複数の作用体をりん本体部から立設すると、補助りん部同士がぶつかり合い音が鳴るようにすることもできる。
【図面の簡単な説明】
【０００９】
【図１】本発明に係るゆらぎりんの構造例を示す。（ａ）は外観図、（ｂ）は断面図を示す。
【図２】作用体に補助りん部を設けた例を示し、（ａ）は外観図、（ｂ）は断面図を示す。
【図３】りん本体部を容器状の打りん部材の内側に配置した例を示し、（ａ）は外観図、（ｂ）は断面図を示す。
【図４】お椀形状のりん本体部の例を示し、（ａ）は外観図、（ｂ）は断面図を示す。
【発明を実施するための形態】
【００１０】
本発明に係るゆらぎりんの構造例を以下、図面に基づいて説明するが、本発明はこれに限定されない。
【００１１】
本発明に係るゆらぎりんは図１に示すように、打りんすると音が鳴るりん本体部１１と、このりん本体部１１を揺動可能に支持した支持部材１２を有する。
りん本体部１１は、上部から立設した作用体１３を有する。
図１に示したりん本体部１１は、下部に開口部１１ａを有する略逆さお椀形状である。
これに対して支持部材１２は、座部１２ｂから支持柱１２ａを立設したスタンド型になっている。
りん本体部１１の内側底部（項部）１１ｂを支持柱１２ａの先端部１２ｃに載置することで左右、前後に揺れる。
なお、この支持柱１２ａが弾性体からなり、支持柱１２ａの先端部１２ｃとりん本体部１１の内側底部１１ｂとを連結したものでもよい。
りん本体部１１から立設した作用体１３は可撓性のある線状部材１３ｂと、その上端側に連結した作用部１３ａを有する。
この作用部１３ａは羽根形状、植物の葉形状、花形状等、いろいろな形状が含まれる。
線状部材１３ｂはピアノ線、ステンレス線、スプリング部材、可撓性樹脂材等が例として挙げられる。
線状部材１３ｂの下端側は、りん本体部１１に脱着自在に連結してもよい。
りん本体部１１は黄銅、青銅、アルミ、スチール製等が例として挙げられる。
【００１２】
図２は、りん本体部１１から複数本の作用体１３を立設し、この作用体１３に補助りん部１４を設けた例である。
補助りん部１４は図２に示すように、線状部材１３ｂの途中に連結してもよく、作用部１３ａに設けてもよい。
補助りん部１４同士が作用体の揺れにより、相互にぶつかり合うように配置してある。
これにより作用体１３を手で軽く触れたり、風が当たると、補助りん部１４同士がぶつかり音が鳴る。
【００１３】
図３は、りん本体部１１を支持部材１２とともに、円筒状の容器からなる打りん部材２０の内側に配置した例である。
打りん部材２０は金属製あるいはガラス製であり、りん本体部１１が揺れると打りん部材２０の内側に当たり音が鳴る。
この打りん部材２０は、りん本体部１１が揺れ接触するものであれば形状や構造に制限はない。
例えば、棒状のスタンドであってもよい。
【００１４】
図４は、りん本体部１１がお椀形状であり上部が開口部１１ｃとなり、外側底部がゆるやかな凸面部１１ｅとなっている。
りん本体部１１の内側１１ｄから線状部材１３ｂ及び作用部１３ａを立設してある。
この場合も各種形状の作用体を脱着自在に取り付けることができるようにしてもよい。
【符号の説明】
【００１５】
１１        りん本体部
１２        支持部材
１３        作用体
１３ａ      作用部
１３ｂ      線状部材
１４        補助りん部
【図１】
0006721149.tif 000002
【図２】
0006721149.tif 000003
【図３】
0006721149.tif 000004
【図４】
0006721149.tif 000005